(57)【要約】【課題】エレベーターシャフトが損傷し難い免震構造物を提供する。【解決手段】免震構造物１０は、竪穴２０が形成された下部構造物１２と、下部構造物１２の上面１２Ｕに設置された免震装置１４と、免震装置１４に支持された上部構造物１６と、上部構造物１６から並列して竪穴２０内へ吊り下げられ、竪穴２０の壁面（壁体１２Ｗ）と離間して配置された複数のエレベーターシャフト２２、２４と、を有し、複数のエレベーターシャフト２２、２４は互いに連結されている。【選択図】図１
2019014548.tif 000002
【特許請求の範囲】
【請求項１】
竪穴が形成された下部構造物と、
前記下部構造物の上面に設置された免震装置と、
前記免震装置に支持された上部構造物と、
前記上部構造物から並列して前記竪穴内へ吊り下げられ、前記竪穴の壁面と離間して配置された複数のエレベーターシャフトと、
を有し、
前記複数のエレベーターシャフトは互いに連結されている免震構造物。
【請求項２】
前記複数のエレベーターシャフトは、梁及びスラブで連結されている、請求項１に記載の免震構造物。
【発明の詳細な説明】
【技術分野】
【０００１】
本発明は、免震構造物に関する。
【背景技術】
【０００２】
下記特許文献１には、免震階を有する建築構造物に設けたエレベーター装置が開示されている。このエレベーター装置の昇降路は、免震階の上層階から下層階に亘って設けられており、かご用ガイドレール及びおもり用ガイドレールが、上層階の昇降路と下層階の昇降路に架け渡されている。
【先行技術文献】
【特許文献】
【０００３】
【特許文献１】特開２００６−２９８５７６号公報
【発明の概要】
【発明が解決しようとする課題】
【０００４】
上記特許文献１のエレベーター装置では、地震発生時に、かご用ガイドレール、おもり用ガイドレールが上層階と下層階の相対変位に追随して変形する。このため地震発生後は、かご用ガイドレール、おもり用ガイドレールを修理する必要があり、修理が完了するまでエレベーターを使用することが難しい。
【０００５】
本発明は上記事実を考慮して、エレベーターシャフトが損傷し難い免震構造物を提供することを目的とする。
【課題を解決するための手段】
【０００６】
請求項１の免震構造物は、竪穴が形成された下部構造物と、前記下部構造物の上面に設置された免震装置と、前記免震装置に支持された上部構造物と、前記上部構造物から並列して前記竪穴内へ吊り下げられ、前記竪穴の壁面と離間して配置された複数のエレベーターシャフトと、を有し、前記複数のエレベーターシャフトは互いに連結されている。
【０００７】
請求項１の免震構造物によると、エレベーターシャフトは上部構造物から下部構造物の竪穴内へ吊り下げられ、竪穴の壁面と離間して配置されている。このためエレベーターシャフトは、地震時に上部構造物と一体的に揺れた際に竪穴の壁面と接触し難く損傷し難い。また、エレベーターシャフト内に設けられたガイドレールなども変形し難い。
【０００８】
さらに、エレベーターシャフトは互いに連結されているため、それぞれのエレベーターシャフトが連結されていない場合と比較して剛性が高く、揺れの振幅が小さい。このため竪穴の壁面との離間距離を小さくできる。
【０００９】
請求項２の免震構造物は、前記複数のエレベーターシャフトは、梁及びスラブで連結されている。
【００１０】
請求項２の免震構造物によると、複数のエレベーターシャフトを梁及びスラブで連結しているため、エレベーターシャフトを鋼材等の連結部材のみで連結して吊り下げる場合と比較して水平剛性が高くなる。このため、地震時の揺れの振幅を小さくすることができる。
【００１１】
また、複数のエレベーターシャフトの共用エレベーターホールとしてスラブを利用できるため、防火用の竪穴区画をまとめることができる。
【発明の効果】
【００１２】
本発明に係る免震構造物によると、エレベーターシャフトが損傷し難い。
【図面の簡単な説明】
【００１３】
【図１】本発明の実施形態に係る免震構造物を示した立断面図であり、複数のエレベーターシャフトが隣接して連結された状態を示している。
【図２】本発明の実施形態に係る免震構造物を示した立断面図であり、複数のエレベーターシャフトが梁及びスラブで連結された状態を示している。
【図３】本発明の実施形態に係る免震構造物において上部構造物とエレベーターシャフトとの関係を示した平面図である。
【図４】本発明の実施形態に係る免震構造物において下部構造物とエレベーターシャフトとの関係を示した平面図である。
【図５】（Ａ）は本発明の実施形態に係る免震構造物において、複数のエレベーターシャフトを隣接して連結した構成を示した立面図であり、（Ｂ）は複数のエレベーターシャフトを梁で連結した構成を示した立面図である。
【発明を実施するための形態】
【００１４】
（免震構造物）
本発明の実施形態に係る免震構造物１０は、図１、図２に示すように、下部構造物１２と、下部構造物１２の上面に設置された免震装置１４と、免震装置１４に支持された上部構造物１６と、を備えた中間層免震構造物である。なお、図１、２はそれぞれ図３、４に示された１−１線断面図、２−２線断面図である。
【００１５】
「下部構造物１２の上面」とは、下部構造物１２における最上階（免震階）のスラブ上面１２Ｕのことであり、このスラブ上面１２Ｕと対向して、上部構造物１６の最下階のスラブ下面１６Ｄが配置されている。なお、図１は免震構造物１０におけるＹ方向（図３参照）に沿った断面を示しており、図２はＸ方向に沿った断面を示している。
【００１６】
下部構造物１２には、竪穴２０が形成されている。竪穴２０は、下部構造物１２の最上階のスラブ上面１２Ｕに開口する有底の空間であり、壁体１２Ｗによって下部構造物１２の内部空間と隔てられている。
【００１７】
（エレベーターシャフト）
図３に示すように、上部構造物１６には、エレベーターシャフト２２、２４、２６が設けられている。具体的には、互いに隣接するエレベーターシャフト２２、２４と、エレベーターシャフト２２、２４とエレベーターホール１６Ｈを挟んで対向して配置されたエレベーターシャフト２６とが、上部構造物１６において複数階に亘る竪穴２１を形成する壁体１６Ｗの内側に配置されている。なお、図３は図１、２における３−３線断面図である。
【００１８】
詳しくは後述するが、エレベーターシャフト２２、２４、２６は角型鋼管を組み合わせて構成された構造体であり、本発明における「エレベーターシャフト」とは、この構造体及び構造体内部に形成される縦長の空間を指す。
【００１９】
図１に示すように、エレベーターシャフト２２とエレベーターシャフト２４とは接して配置され、互いに連結されている。また、図２に示すように、エレベーターシャフト２２、２４と、エレベーターシャフト２６とは、互いに梁２８及びスラブ１２Ｓ、１６Ｓを介して連結されている。
【００２０】
エレベーターシャフト２２、２４、２６において、上部構造物１６の壁体１６Ｗの内側に配置された部分は、上部構造物１６の梁１６Ｂに支持されている。
【００２１】
また、エレベーターシャフト２２、２４、２６は、上部構造物１６から下部構造物１２に形成された竪穴２０の内部へ、並列して吊り下げられている。この吊り下げられた部分は、上部構造物１６の梁１６Ｂから吊り下げられ、竪穴２０の内部において、竪穴２０を形成する壁体１２Ｗと離間して配置されている。
【００２２】
図５（Ａ）に示すように、エレベーターシャフト２２は、略鉛直方向に延設された鋼材２２Ａを、略水平方向（図５（Ａ）における紙面左右方向及び前後方向）に延設された鋼材２２Ｂで連結して構成されたフレーム状の構造物である。鋼材２２Ａ、２２Ｂは角型鋼管で形成され、エレベーターシャフト２２は、鋼材２２Ａ、２２Ｂで形成される鉛直構面にブレース２２Ｃが設置されることにより、剛性が高められている。
【００２３】
エレベーターシャフト２２の内部には、図示しないガイドレール、ガイドレールに沿って鉛直方向に滑動するエレベーターかご、エレベーターかごのカウンターウェイトとしての釣合い重り等が設置され、エレベーターシャフト２２の上部に設けられた機械室には、エレベーターかごと釣合い重りとを吊下し駆動させる巻き上げ機が設置されている。
【００２４】
図５（Ａ）に矢印で示すように、エレベーターシャフト２２には、略鉛直方向に沿って延設された鋼材２４Ａが、略水平方向（図５（Ａ）における紙面左右方向）に延設された鋼材２４Ｂを介して連結される。鋼材２４Ａ、２４Ｂは角型鋼管で形成されている。これにより、エレベーターシャフト２２に隣接し、かつエレベーターシャフト２２と連結されたエレベーターシャフト２４が形成される。図示は省略するが、エレベーターシャフト２４においても、鉛直構面に適宜ブレースが設置される。
【００２５】
図５（Ｂ）には、エレベーターシャフト２２、２４と、エレベーターシャフト２６とが連結される前の状態が示されている。なお、図５（Ｂ）の紙面左右方向は、図５（Ａ）の紙面前後方向に対応している。エレベーターシャフト２６は、エレベーターシャフト２２と同様に、略鉛直方向に沿って延設された鋼材２６Ａを、略水平方向に延設された鋼材２６Ｂで連結して構成されたフレーム状の構造物である。エレベーターシャフト２６においても、鋼材２６Ａ、２６Ｂは角型鋼管で形成され、鉛直構面には適宜ブレースが設置される。
【００２６】
エレベーターシャフト２２、２４と、エレベーターシャフト２６とは、角型鋼管で形成された梁２８で連結される。図２に示すように、上部構造物１６において、梁２８の上部にはコンクリート製のスラブ１６Ｓが固定され、このスラブ１６Ｓは、図３に示すように、上部構造物１６におけるスラブ１６Ｆを形成するコンクリートと一体的に打設される。これにより、エレベーターシャフト２２、２４と、エレベーターシャフト２６とは、梁２８のほか、上部構造物１６におけるスラブ１６Ｆと一体的に打設されたスラブ１６Ｓで連結される。
【００２７】
また、図２に示すように、下部構造物１２においても、梁２８の上部にはスラブ１２Ｓが固定されるが、このスラブ１２Ｓは、図４に示すように、下部構造物１２におけるスラブ１２Ｆとは、エキスパンションジョイントＪを用いて相対変位可能に連結されている。これにより、エレベーターシャフト２２、２４と、エレベーターシャフト２６とは、梁２８のほか、下部構造物１２におけるスラブ１２Ｆと相対変位可能なスラブ１２Ｓで連結される。なお、図４は図１、２における４−４線断面図である。
【００２８】
（作用・効果）
本実施形態に係る免震構造物１０では、図１、２に示すように、エレベーターシャフト２２、２４、２６は上部構造物１６から、下部構造物１２に形成された竪穴２０の内部へ吊り下げられ、竪穴２０の内部で壁体１２Ｗと離間して配置されている。このためエレベーターシャフト２２、２４、２６は、地震時に上部構造物１６と一体的に揺れた際に、壁体１２Ｗと接触し難く損傷し難い。また、エレベーターシャフト２２、２４、２６内に設けられたガイドレールなども変形し難い。このため、例えば上部構造物１６及び下部構造物１２の双方に固定されたエレベーターシャフトと比較して、エレベーターシャフトの構造を軽微にできる。
【００２９】
また、図１に示すように、エレベーターシャフト２２とエレベーターシャフト２４とは互いに連結されているため、それぞれのエレベーターシャフト２２、２４が連結されていない場合と比較して剛性が高く、揺れの振幅が小さい。このため竪穴２０の壁体１２Ｗとの離間距離Ｌ１を小さくできる。
【００３０】
また、図２に示すように、エレベーターシャフト２２、２４と、エレベーターシャフト２６とを、梁２８及びスラブ１６Ｓ、１２Ｓで連結しているため、これらのエレベーターシャフト２２、２４、２６をそれぞれ独立して吊り下げる場合と比較して水平剛性が高くなる。このため地震時の揺れの振幅を小さくすることができる。これにより竪穴２０の壁体１２Ｗとの離間距離Ｌ２を小さくできる。
【００３１】
また、本実施形態に係る免震構造物１０では、スラブ１２Ｓ、１６Ｓを、エレベーターホール１２Ｈ、１６Ｈのスラブとして利用している。エレベーターホール１２Ｈ、１６Ｈは、エレベーターシャフト２２、２４、２６の共用エレベーターホールとして利用されている。
【００３２】
このため、図３、４に示すように、エレベーターホール１２Ｈ、１６Ｈの入り口部分に防火ドアＤや、防火シャッターなどの防火設備を適宜配置することにより、防火区画（竪穴区画）を形成することができる。このため、エレベーターシャフト２２、２４、２６に設ける防火設備を省略又は簡素化できる。
【００３３】
なお、本実施形態においてエレベーターシャフトは、エレベーターシャフト２２、２４、２６の３本設けられているが、エレベーターシャフトは２本以上であればよい。２本以上のエレベーターが互いに連結されていれば、例えばエレベーターシャフト２６はなくてもよいし、エレベーターシャフト２２、２４をまとめて一本のエレベーターシャフトとしてもよい。
【００３４】
また、本実施形態において鋼材２２Ａ、２２Ｂ、２４Ａ、２４Ｂ、２６Ａ、２６Ｂ、また梁２８は角型鋼管で形成したが、本発明の実施形態はこれに限らず、Ｈ型鋼などで形成してもよい。
【００３５】
また、本実施形態において竪穴２０は、図４に示すように、四周を下部構造物１２の壁体１２Ｗに囲まれた「ロ形」の空間とされているが、本発明の実施形態はこれに限らない。例えばエレベーターシャフト２２、２４、２６を免震構造物１０の屋外に面して配置する場合は、竪穴２０の一面に壁体１２Ｗを配置しない「コ型」の空間としてもよい。このように、本発明に係る免震構造物は、様々な態様とすることができる。
【符号の説明】
【００３６】
１０    免震構造物
１２    下部構造物
１２Ｓ  スラブ
１４    免震装置
１６    上部構造物
１６Ｓ  スラブ
２０    竪穴
２２、２４、２６  エレベーターシャフト
２８    梁
【図１】
2019014548.tif 000003
【図２】
2019014548.tif 000004
【図３】
2019014548.tif 000005
【図４】
2019014548.tif 000006
【図５】
2019014548.tif 000007